(57)【要約】【課題】周辺地域について、放送で受信した当該地域に関連する情報を提供する「ナビゲーション装置」を提供する。【解決手段】ニュース収集部は、放送受信機２３が受信したニュース番組の文字列情報を取得し、各ニュース項目の内容を表す文字列を、当該文字列に含まれる地名に相当する地点の座標である関連地点座標や当該ニュース項目の文字列の受信日時と共に、ニュースレコードとしてメモリ２０に格納する。制御部１９は、表示する地図画像３０１の表示範囲内の関連地点座標を持つニュースレコードをメモリ２０の中から探索し、探索した各ニュースレコードのニュース内容、受信日時をニュース情報３１０として、案内画像の地図画像３０１上の、ニュースレコードの関連地点座標に対応する位置に表示する。【選択図】図３
2006194742.tif 000002
【特許請求の範囲】
【請求項１】
地図を表示するナビゲーション装置であって、
前記地図を表示する地図表示手段と、
放送を受信する放送受信機と、
メモリと、
前記放送受信機に、ニュースの内容を表す文字列をコンテンツとして含むニュース番組放送を受信させ、前記放送受信機が受信したニュース番組放送に含まれるニュース項目毎に、当該ニュース項目についてのニュース内容を表す文字列と、当該ニュース項目についてのニュース内容を表す文字列に含まれる地名に相当する地点の地理的座標とを含めたニュースレコードを作成し、前記メモリに格納するニュース情報収集手段と、
前記メモリに格納されているニュースレコードのうちの、前記地図表示手段が表示する地図の地理的範囲内に含まれる前記地理的座標を含むニュースレコードを対象ニュースレコードとして、各対象ニュースレコードに含まれる文字列を、当該文字列と同じ対象ニュースレコードに含まれる地理的座標に対応する、前記地図表示手段が表示する地図上の位置に表示するニュース情報表示手段とを有することを特徴とするナビゲーション装置。
【請求項２】
請求項１記載のナビゲーション装置であって、
現在位置を算出する現在位置算出手段と、
前記地図表示手段は、前記現在位置算出手段が算出した現在位置周辺の当該現在位置を含む地理的範囲の地図を表示することを特徴とするナビゲーション装置。
【請求項３】
地図を表示するナビゲーション装置であって、
前記地図を表示する地図表示手段と、
放送を受信する放送受信機と、
メモリと、
前記放送受信機に、ニュースの内容を表す文字列をコンテンツとして含むニュース番組放送を受信させ、前記放送受信機が受信したニュース番組放送に含まれるニュース項目毎に、当該ニュース項目についてのニュース内容を表す文字列と、当該ニュース項目についてのニュース内容を表す文字列に含まれる地名に相当する地点の地理的座標とを含めたニュースレコードを作成し、前記メモリに格納するニュース情報収集手段と、
前記メモリに格納されたニュースレコードの文字列に含まれる地名のリストを表示し、表示したリスト上で地名の選択を受け付ける地名選択受付手段と、
前記リスト上で地名の選択に応答して、または、前記リスト上で地名の選択を受け付けた後のユーザの所定のニュース項目文字列表示指示操作に応じて、前記地名選択受付手段が受け付けた地名を前記ニュース項目の文字列中に含むニュースレコードに含まれる前記文字列を表示するニュース項目文字列表示手段と、
前記リスト上で地名の選択後のユーザの所定の目的設定指示操作に応じて、前記地名選択受付手段が受け付けた地名を前記文字列中に含むニュースレコードに含まれる地理的座標を目的地として設定する目的地設定手段と、
現在位置を算出する現在位置算出手段と、
前記目的地設定手段が設定した目的地までの前記現在位置算出手段が算出した現在位置からの経路を探索し、前記地図表示手段が表示する地図上に探索した経路を表す経路案内手段とを有することを特徴とするナビゲーション装置。
【請求項４】
請求項３記載のナビゲーション装置であって、
前記地名選択受付手段は、前記メモリに格納されたニュースレコードの前記文字列に含まれる地名を、当該地名を前記文字列中に含むニュースレコードに含まれる地理的座標が示す地点までの、前記現在位置算出手段が算出した現在位置からの距離または道程距離の小さい順に並べた前記リストを表示することを特徴とするナビゲーション装置。
【請求項５】
請求項３または４記載のナビゲーション装置であって、
前記地名選択受付手段は、前記メモリに格納されたニュースレコードの文字列に含まれる地名のリストを、前記メモリに格納されたニュースレコードの文字列に含まれる地名及び当該地名の前後の文字列よりなる文字列のリストの形態で表示することを特徴とするナビゲーション装置。
【請求項６】
地図を表示する地図表示装置と放送受信機とを備えたシステムにおいて、前記放送受信機で受信したニュースの情報をユーザに提示するニュース情報提示方法であって、
前記システムにおいて、前記放送受信機で、ニュースの内容を表す文字列をコンテンツとして含むニュース番組放送を受信し、前記放送受信機が受信したニュース番組放送に含まれるニュース項目毎に、当該ニュース項目についてのニュース内容を表す文字列と、当該ニュース項目についてのニュース内容を表す文字列に含まれる地名に相当する地点の地理的座標とを含めたニュースレコードを作成し、保持するステップと、
前記システムにおいて、保持しているニュースレコードのうちの、前記表示する地図の地理的範囲内に含まれる前記地理的座標を含むニュースレコードを対象ニュースレコードとして、各対象ニュースレコードに含まれる文字列を、当該文字列と同じ対象ニュースレコードに含まれる地理的座標に対応する、前記表示する地図上の位置に表示するステップとを有することを特徴とするニュース情報提示方法。
【発明の詳細な説明】
【技術分野】
【０００１】
本発明は、自動車に搭載されたナビゲーション装置において、ユーザの、放送受信機で受信した情報の活用を支援する技術に関するものである。
【背景技術】
【０００２】
自動車に搭載されたナビゲーション装置において、ユーザの、放送受信機で受信した情報を活用を支援する技術としては、デジタルＴＶ放送を視聴しているユーザの指示に応じて、デジタルＴＶ放送で受信した文字列中に含まれる地名を抽出し、抽出した地名に対応する地点の地図を、デジタルＴＶ放送で受信した映像と共に表示する技術が知られている（たとえば、特許文献１）。
【０００３】
また、自動車に搭載されたナビゲーション装置において、ユーザの、放送受信機で受信した情報を活用を支援する技術としては、ＴＶ放送を視聴しているユーザの指示に応じて、ＴＶ放送で受信した映像に対して文字認識処理を施して、映像中に画像として含まれる文字列中の住所や電話番号を抽出し、抽出した住所や電話番号に対応する地点をユーザ設定地点として記憶したり、目的地として設定する技術も知られている（たとえば、特許文献２）。
【特許文献１】特開2002-135677公報
【特許文献２】特開2004-271232公報
【発明の開示】
【発明が解決しようとする課題】
【０００４】
前記各従来の技術によれば、ＴＶ放送を視聴しているユーザは、ＴＶ放送で放送された情報である放送情報に興味をもったときに、簡単な操作で、その放送情報に関連する地点の地理的情報の提供を受けることができる。
さて、一般的にいって、ユーザは自身の周辺地域などの自身に関係する地域の情報に対しては興味を持つものである。しかしながら、前述した従来の各技術によれば、たとえば、ユーザが自身の周辺地域に関連する放送情報を得ようとする場合には、そのような放送情報が放送されるかどうかも分からないまま、延々と放送を視聴し続ける必要がある。したがって、これらの従来の各技術では、ユーザに対して、ユーザが知っていれば興味を持ったであろう、ユーザに関係する地域の放送情報を、ユーザの過度の負担なく提供することができない。
【０００５】
そこで、本発明は、ユーザに過度の負担をかけることなく、ユーザに関係する地域について、放送で受信した当該地域に関連する情報を、当該情報に関連する地点の地理的情報と共にユーザに提供することを課題とする。
【課題を解決するための手段】
【０００６】
前記課題達成のために、本発明は、地図を表示するナビゲーション装置を、前記地図を表示する地図表示手段と、放送を受信する放送受信機と、メモリと、前記放送受信機に、ニュースの内容を表す文字列をコンテンツとして含むニュース番組放送を受信させ、前記放送受信機が受信したニュース番組放送に含まれるニュース項目毎に、当該ニュース項目についてのニュース内容を表す文字列と、当該ニュース項目についてのニュース内容を表す文字列に含まれる地名に相当する地点の地理的座標とを含めたニュースレコードを作成し、前記メモリに格納するニュース情報収集手段と、前記メモリに格納されているニュースレコードのうちの、前記地図表示手段が表示する地図の地理的範囲内に含まれる前記地理的座標を含むニュースレコードを対象ニュースレコードとして、各対象ニュースレコードに含まれる文字列を、当該文字列と同じ対象ニュースレコードに含まれる地理的座標に対応する、前記表示する地図上の位置に表示するニュース情報表示手段とを含めて構成したものである。
【０００７】
このようなナビゲーション装置によれば、ユーザがナビゲーション装置の案内を受けるために見ることになる地図上の、放送受信機が受信したニュースの内容に関連した地点に対応する位置に、そのニュースの内容の内容が表示されることになる。したがって、ユーザは、ニュースの取得のための特段の負担を担うことなく、放送受信機が受信したニュースの内容を、そのニュースの内容に関連する地点の地図上の情報とともに、取得することができるようになる。
【０００８】
また、ユーザが見ている地図は、何らかの意味においてユーザに関係している地域であるので、ユーザに、ユーザにとって関係するであろうと思われるニュースの内容を自動的に提示することができる。たとえば、このようなナビゲーション装置は、さらに、現在位置を算出する現在位置算出手段を設け、前記地図表示手段が、前記現在位置算出手段が算出した現在位置周辺の当該現在位置を含む地理的範囲の地図を表示するようにすれば、ユーザが興味を持つであろうと推測される、ユーザの周辺地域に関連するニュースを自動的に提示することができる。
【０００９】
また、前記課題達成のために、本発明は、地図を表示するナビゲーション装置を、前記地図を表示する地図表示手段と、放送を受信する放送受信機と、メモリと、前記放送受信機に、ニュースの内容を表す文字列をコンテンツとして含むニュース番組放送を受信させ、前記放送受信機が受信したニュース番組放送に含まれるニュース項目毎に、当該ニュース項目についてのニュース内容を表す文字列と、当該ニュース項目についてのニュース内容を表す文字列に含まれる地名に相当する地点の地理的座標とを含めたニュースレコードを作成し、前記メモリに格納するニュース情報収集手段と、前記メモリに格納されたニュースレコードの文字列に含まれる地名のリストを表示し、表示したリスト上で地名の選択を受け付ける地名選択受付手段と、前記リスト上で地名の選択に応答して、または、前記リスト上で地名の選択を受け付けた後のユーザの所定のニュース項目文字列表示指示操作に応じて、前記地名選択受付手段が受け付けた地名を前記ニュース項目の文字列中に含むニュースレコードに含まれる前記文字列を表示するニュース項目文字列表示手段と、前記リスト上で地名の選択後のユーザの所定の目的設定指示操作に応じて、前記地名選択受付手段が受け付けた地名を前記文字列中に含むニュースレコードに含まれる地理的座標を目的地として設定する目的地設定手段と、現在位置を算出する現在位置算出手段と、前記目的地設定手段が設定した目的地までの前記現在位置算出手段が算出した現在位置からの経路を探索し、前記表示する地図上に探索した経路を表す経路案内手段とを含めて構成したものである。
【００１０】
このようなナビゲーション装置によれば、地名から、当該地名に相当する地点に対応するニュースの内容を取得することができると共に、その地名に相当する地点を目的地に設定したりすることができるようになる。したがって、ユーザは、地名を目安にして、容易に、自身に関係する地域のニュースの内容を取得しすることができると共に、そのニュースの内容からその地名の地点に興味を持った場合には、即座にその地点を目的地に設定することができるようになる。
【００１１】
ここで、このようなナビゲーション装置は、前記地名選択受付手段において、前記メモリに格納されたニュースレコードの前記文字列に含まれる地名を、当該地名を前記文字列中に含むニュースレコードに含まれる地理的座標が示す地点までの、前記現在位置算出手段が算出した現在位置からの距離または道程距離の小さい順に並べた前記リストを表示するように構成してもよい。このようにすることにより、ユーザの、自身の周辺地域についてのニュース内容の取得を、より容易化することができる。
【００１２】
また、このようなナビゲーション装置は、前記地名選択受付手段において、前記メモリに格納されたニュースレコードの文字列に含まれる地名のリストを、前記メモリに格納されたニュースレコードの文字列に含まれる地名及び当該地名の前後の文字列よりなる文字列のリストの形態で表示するようにしてもよい。
【００１３】
このようにすることにより、ユーザは、ニュースの内容の全体を閲覧することなく、地名のリスト上で、その地名に相当する地点に関連するニュースの内容が、興味をひくものであるかどうかの一定の判断を行うことができるようになる。
【発明の効果】
【００１４】
以上のように、本発明によれば、ユーザに過度の負担をかけることなく、ユーザの周辺地域について、放送で受信した当該地域に関連する情報を、当該情報に関連する地点の地理的情報と共にユーザに提供することができる。
【発明を実施するための最良の形態】
【００１５】
以下、本発明の実施形態につい説明する。
図１に、本実施形態に係る車載システムの構成を示す。
図示するように車載システム１は、操作部１１と、表示装置１２と、車両状態センサ１３と、ＧＰＳ受信機１４と、地図を表す地図データを記憶したＨＤＤなどの記憶装置である地図データ記憶部１５と、現在状態算出部１６と、ルート探索部１７と、案内画像生成部１８と、制御部１９と、メモリ２０と、操作部１１や表示装置１２を用いたユーザと車載システム各部間の入出力を処理するＧＵＩ制御部２１、ニュース情報処理部２２と、放送局２から放送されたＦＭ多重放送やデジタルＴＶ放送などの文字列情報を含む放送を受信する放送受信機２３と、ＣＤ-ＤＡプレイヤやＭＤプレイヤなどの音源機器であるオーディオソース機器２４と、オーディオアンプ２５と、スピーカ２６とを備えて構成される。
【００１６】
ここで、車両状態センサ１３は、角加速度センサや地磁気センサなどである方位センサや車速パルスセンサなどである車速センサなどの車両状態を検出するセンサ群である。
但し、以上の車載システム１の一部は、ハードウエア的には、マイクロプロセッサや、メモリや、その他のグラフィックプロセッサやジオメトリックプロセッサ等の周辺デバイスを有する一般的な構成を備えたＣＰＵ回路として構成してよく、この場合の、ＣＰＵ回路としてした各部は、マイクロプロセッサが予め用意されたプログラムを実行することにより具現化するプロセスとして実現される。また、この場合、このようなプログラムは、記録媒体や適当な通信路を介してＣＰＵ回路に提供されるものであって良い。
【００１７】
次に、図２ａに示すように、地図データ記憶部１５には、地図を表す地図データとサービスデータとが記憶されている。また、サービスデータは、ユーザが興味を持つであろう地点として予め選定された複数の地点のそれぞれについて設けた地点レコードを含む。そして、地点レコードには、地点に対して一意に与えた地点識別子、地点のガソリンスタンド、温泉地などの種別を表す地点種別、地点の名称を表す地点名称、地点の経緯度座標を表す地点座標、地点の住所を表す地点住所、地点の電話番号、その他の地点に関する各種情報である地点詳細説明が格納されている。
【００１８】
次に、図２ｂは、本実施形態において、メモリ２０に格納するニュースデータを示すものである。
図示するように、ニュースデータは、放送受信機２３を用いて受信したニュース項目毎に設けたニュースレコードよりなり、各ニュースレコードには、対応するニュース項目の識別子であるニュース識別子、対応するニュース項目の受信日時を示す受信日時、関連地点識別子、関連地点名称、関連地点座標、対応するニュース項目のニュースの内容を表す文字列であるニュース内容を含む。ここで、このようなニュースレコードは、ニュース情報処理部２２が作成しメモリ２０に格納する。このニュース情報処理部２２の動作については後述する。
【００１９】
さて、このような構成において、車載システム１の現在状態算出部１６は、以下の処理を繰り返し行う。
すなわち、現在状態算出部１６は、車両状態センサ１３やＧＰＳ受信機１４の出力から推定される現在位置に対して、地図データ記憶部１５から読み出した地図データが示す前回決定した現在位置の周辺の地図とのマップマッチング処理などを施して、現在位置として最も確からしい座標と、現在の進行方向として最も確からしい方向とを、それぞれ現在位置、現在進行方位として決定し、メモリ２０に設定する。
【００２０】
また、制御部１９は、ユーザの目的地設定要求に応じて、ユーザから操作部１１、ＧＵＩ制御部２１を介して目的地の設定を受け付け、これをメモリ２０にセットする。そして、制御部１９は、目的地の設定を受け付けたならば、目的地までの推奨ルートをルート探索部１７に探索させる。ルート探索部１７は、必要地理的範囲の地図データを地図データ記憶部１５から読み出し、メモリ２０に設定されている現在位置から目的地までの最小コストの経路を、距離最小などの所定のコストモデルに基づいて推奨ルートとして算出し、算出した推奨ルートの経路データを、メモリ２０にセットする。
【００２１】
また、制御部１９は、メモリ２０にセットされた現在位置が目的地近傍となったならば、目的地到着と判定し、メモリ２０にセットされている目的地と推奨ルートをクリアする処理を行う。
また、制御部１９は、メモリ２０にセットされた現在位置またはユーザのスクロール操作に従って定まる地点を基準地点とし、この基準地点と、その時点で設定されている地図の表示縮尺などに従って地図を表示を表示する範囲である地図表示範囲を算定する。そして、案内画像生成部１８は、制御部１９が算定した地図表示範囲の地図画像を、地図データ記録部に記憶された地図データに基づいて描画する。また、描画した地図画像上に、メモリ２０にセットされている現在位置や推奨ルートや目的地を表す図形を描画した案内画像を生成しＧＵＩ制御部２１を介して表示装置１２に表示する。
【００２２】
図３ａは、このようにして表示装置１２に表示される案内画像の例を示すものであり、この例では、案内画像は、現在位置を基準地点として、その地図表示範囲が定められたものとなっている。また、この案内画像は、現在位置周辺の地図画像３０１上に、現在位置を表す現在位置マーク３０２や、地図表示範囲内の推奨ルートを表すルート図形３０３や、目的地を表す目的地マーク３０４が表されたものとなっている。
【００２３】
また、制御部１９は、ＧＵＩ制御部２１を介して受け取った操作部１１のユーザ操作に応じて、オーディオアンプ２５のスピーカ２６への音声の出力レベルの制御や、オーディオアンプ２５における、スピーカ２６に出力する音声のソースとなる機器のオーディオソース機器２４と放送受信機２３のうちからの選択の制御や、オーディオソース機器２４や放送受信機２３の各種動作の制御を行う。また、放送受信機２３がＴＶ放送受信機である場合には、制御部１９は、ＧＵＩ制御部２１を介して受け取った操作部１１のユーザ操作に応じて、放送受信機２３が受信した映像のＧＵＩ制御部２１を介した表示装置１２への表示も制御する。
【００２４】
次に、前述したニュースレコードの作成と格納のためにニュース情報処理部２２が行うニュース収集処理について説明する。
図４に、このニュース収集処理の手順を示す。
図示するように、この処理では、まず、予め設定された目的ニュース番組放送開始日時が到来するのを監視する（ステップ４０２）。ここで、目的ニュース番組とは、たとえば、ある放送チャネルにおいて毎週同じ曜日の同じ時間帯に放送されるウイークリーニュース番組などの特定のニュース番組であり、目的ニュース番組放送開始日時とは、この特定のニュース番組の放送開始日時を指す。
【００２５】
そして、目的ニュース番組放送開始日時が到来したならば、放送受信機２３に、このニュース番組の受信を開始させ、放送受信機２３が放送で受信した文字列情報を取得する（ステップ４０４）。
そして、取得した文字列情報を解析して各ニュース項目のニュースの内容を表す文字列を抽出すると共に、１ニュース項目の文字列を取得する毎に（ステップ４０６）、取得したニュース項目の文字列について以下の処理を行う。
すなわち、まず、地図データ記憶部１５に格納されているサービスデータ中のいずれかの地点レコードの地点名称と一致する文字列部分を、ニュース項目の文字列中から抽出する（ステップ４０８）。
そして、そのような文字列部分を抽出できなかったならば（ステップ４１０）、目的ニュース番組の受信が終了しているかどうかを目的ニュース番組の放送終了時刻等より判定し（ステップ４１８）、終了していなければ、ステップ４０６に戻って次のニュース項目の文字列の処理に進む。
【００２６】
一方、いずれかの地点レコードの地点名称と一致する文字列部分を、ニュース項目の文字列中から抽出できた場合には（ステップ４１０）、新規なニュースレコードを生成してメモリ２０に格納し（ステップ４１２）、生成したニュースレコードのニュース識別子に一意となるように生成した値を格納し、生成したニュースレコードの受信日時に現在日時を格納し、生成したニュースレコードのニュース内容に取得したニュース項目の文字列を格納する（ステップ４１４）。また、抽出した文字列部分と地点名称が一致する地点レコードの地点識別子を、生成したニュースレコードの関連地点識別子として格納し、抽出した文字列部分を生成したニュースレコードの関連地点名称として格納し、抽出した文字列部分と地点名称が一致する地点レコードの地点座標を生成したニュースレコードの関連地点座標として格納する（ステップ４１６）。
【００２７】
そして、目的ニュース番組の受信が終了しているかどうかを目的ニュース番組の放送終了時刻等より判定し（ステップ４１８）、終了していなければ、ステップ４０６に戻って次のニュース項目の文字列の処理に進む。
一方、ステップ４１８で、目的ニュース番組の受信が終了していると判定された場合には、放送受信機２３の受信動作を停止し（ステップ４２０）、ステップ４０２に戻って、次回の目的ニュース番組放送開始日時の到来を待つ。
以上、ニュース情報処理部２２が行うニュース収集処理について説明した。
さて、ニュース情報処理部２２は、このようなニュース収集処理の他、メモリ２０に格納されているニュースレコードの内、受信日時が一定期間（たとえば、１週間）以上過去のニュースレコードを削除するニュースレコード整理処理も行う。
次に、このようにしてメモリ２０に格納されたニュースレコードを用いて制御部１９が行うニュース表示処理について説明する。
図５ａに、このニュース表示処理の手順を示す。
図示するように、この処理では、まず、案内画像生成部１８が案内画像に含める地図画像３０１の地理的範囲である地図表示範囲内の関連地点座標を持つニュースレコードをメモリ２０の中から探索する（ステップ５０２）。そして、そのようなニュースレコードを探索できなかった場合には（ステップ５０４）、ステップ５０８に進む。一方、地図表示範囲内の関連地点座標を持つニュースレコードを探索できた場合には（ステップ５０４）、探索した各ニュースレコードのニュース内容、受信日時をニュース情報として、案内画像の地図画像３０１上の、ニュースレコードの関連地点座標に対応する位置にＧＵＩ制御部２１を介して表示し（ステップ５０６）、ステップ５０８に進む。
【００２８】
図３ｂは、このようにして表示されたニュース情報を示すものである。図中、３１０が表示された地図情報を示す。ここで、図示したニュース情報は、図３ｃに示すような、関連地点名称として「新横浜大さん橋国際旅客ターミナル」を持ち、関連地点座標として「新横浜大さん橋国際旅客ターミナル」の地理的位置を示す座標を持つニュースレコードに対応するものである。そして、この例では、このようなニュースレコードに従って、このニュースレコードのニュース内容に格納された文字列と受信日時に格納された日時が、ニュース情報３０１として、案内画像の地図画像３０１において「新横浜大さん橋国際旅客ターミナル」が表される位置に重畳表示されている。
【００２９】
さて、図５ａに戻り、ステップ５０８では、地図表示範囲が変化するのを待つ。そして、地図表示範囲が変化したならば、その時点で表示している地図情報を消去し（ステップ５１０）、ステップ５０２からの処理を再度行う。
以上、制御部１９が行うニュース表示処理について説明した。
このようなニュース表示処理によれば、ユーザがナビゲーション装置のナビゲーションを受けるために見ることになる案内画像に含まれる地図画像３０１の上の、放送受信機２３が受信したニュース項目の文字列に含まれる地名に相当する地点に対応する位置に、そのニュース項目の文字列が表示されることになる。したがって、ユーザは、ニュースの取得のための特段の負担を担うことなく、放送受信機２３が受信した各ニュース項目の内容を表す文字列、そのニュース項目の文字列が含まれる地名に相当する地点の地図上の情報とともに、取得することができるようになる。特に、現在位置を基準位置として地図表示範囲を定めているときには、ユーザが興味を持つであろうと推測される、ユーザの現在位置の周辺地域に関連するニュース項目の文字列が自動的に表示されることになる。
【００３０】
さて、制御部１９は、このようなニュース表示処理によって表示したニュース情報を利用した目的地の設定処理も行う。
すなわち、図３ｄに示すように、表示しているニュース情報３１０がユーザによってカーソル３１１などにより選択されたならば、目的地設定メニューウインドウ３１２を表示し、目的地の変更を変更ボタン３１２１により、目的地の追加を追加ボタン３１２２により受け付ける。ただし、その時点で、目的地が設定されていない場合には、変更ボタン３１２１は表示せず、目的地の変更は受け付けない。
【００３１】
そして、目的地の変更ボタン３１２１がユーザによって操作されたならば、目的地設定メニューウインドウ３１２を閉じ、目的地を選択されたニュース情報に対応するニュースレコードの関連地点座標に変更し、ルート探索部１７に変更後の目的地までの推奨ルートを再探索させる。また、追加ボタン３１２２がユーザによって操作されたならば、目的地設定メニューウインドウ３１２を閉じ、その時点で目的地が設定されている場合には、選択されたニュース情報３１０に対応するニュースレコードの関連地点座標を経由地として追加し、それまでに設定されている全ての経由地を経由して目的地に至る推奨ルートを、ルート探索部１７に探索させる。また、追加ボタンがユーザによって操作された場合に、その時点で目的地が設定されていない場合には、選択されたニュース情報３１０に対応するニュースレコードの関連地点座標を目的地として設定し、ルート探索部１７に変更後の目的地までの推奨ルートを再探索させる。なお、目的地設定メニューウインドウ３１２のいいえボタン３１２３がユーザによって操作された場合には、単に目的地設定メニューウインドウ３１２を閉じる動作を行う。
【００３２】
図３ｅは、このようにしてニュース情報３１０に対応する地点である「新横浜大さん橋国際旅客ターミナル」が追加ボタン３１２２によって経由地に追加されたために、この経由地を経由する目的地までの推奨ルートが探索され、ルート図形３０３が探索された推奨ルートを表すものに変化したようすを示している。また、図示した例では、経由地を表す経由地マーク３０５も、地図画像３０１上に表示している。
【００３３】
このような目的地の設定処理によれば、ユーザは、地図画像３０１の上に表示されるニュース項目の文字列が示すニュース項目の内容と、その地点の位置から、ちょっと立ち寄ってみようかと興味を持った地点については、即座にその地点を目的地に設定して当該地点までの経路案内を受けることができるようになる。
【００３４】
以下、制御部１９がニュースレコードを用いて行うニュース関連地点選択受付処理について説明する。
図５ｂに、このニュース関連地点選択受付処理の手順を示す。
ここで、この処理は、ＧＵＩ制御部２１、操作部１１を介して、ユーザよりニュースジャンルからの地点選択要求を受け付けた場合に実行される。
さて、図示するように、この処理では、まず、メモリ２０に格納されているニュースレコードを、所定のソート項目に従ってソートする（ステップ５５２）。ここで、このソートは、たとえば、所定のソート項目をニュースレコードの受信日時とし、受信日時のより新しいものがより前に来るようにニュースレコードをソートしたり、所定のソート項目をニュースレコードの関連地点座標とし、関連地点座標が現在地により近いものがより前に来るようにニュースレコードをソートしたり、所定のソート項目をニュースレコードの関連地点座標とし、ルート探索部１７を用いて求めた関連地点座標までの現在地からの推奨ルートの道程距離の小さいものがより前に来るようにニュースレコードをソートしたりすることにより行う。
【００３５】
次に、ソートした各ニュースレコードのニュース内容から、ニュースレコードの関連地点名称の文字列とその前後の文字列を全体で所定長の文字列となるように抽出する（ステップ５５４）。そして、抽出した文字列を、たとえば、図６ａに示すように案内画像上に表示した地点リストウインドウ６０１中に、ソートしたニュースレコードの順番に従った順番でリスト表示する（ステップ５５６）。
【００３６】
ここで、図示するように地点リストウインドウ６０１には、各ニュースレコードのニュース内容から抽出した関連地点名称の文字列とその前後の文字列よりなる文字列を関連地点名称の文字列部分を強調した形態でリスト表示したリスト６０２と、変更ボタン６０３と、追加ボタン６０４と、いいえボタン６０５が設けられている。ただし、その時点で、目的地が設定されていない場合には、変更ボタン６０３は表示しない。
【００３７】
さて、図５ｂに戻り、地点リストウインドウ６０１を表示したならば、ユーザのリスト６０２の中の文字列の選択の発生と（ステップ５５８）、変更ボタン６０３の操作による目的地変更指示の発生と（ステップ５６０）、追加ボタン６０４の操作による目的地追加指示の発生と（ステップ５６２）、いいえボタン６０５によるキャンセル指示の発生と（ステップ５６４）を監視する。ただし、変更ボタン６０３の操作による目的地変更指示と、追加ボタン６０４の操作による目的地追加指示は、ユーザによってリスト６０１の中の文字列が既に選択されている場合にのみ受け付ける。
【００３８】
そして、ユーザのリスト６０１の中の文字列の選択が発生したならば（ステップ５５８）、選択された文字列を抽出したニュースレコードのニュース内容、受信日時をニュース情報６１０として、選択された文字列付近に表示する（ステップ５６６）。ただし、このようなニュース情報６１０の表示に代えて、地図表示範囲を、選択された文字列を抽出したニュースレコードに格納されている関連地点座標を含む範囲に変更することにより、図３ｂに示したニュース情報３１０の表示の形態で、この選択された文字列を抽出したニュースレコードのニュース内容、受信日時をユーザに提示するようにしてもよい。
【００３９】
また、変更ボタン６０３の操作による目的地変更指示が発生したならば（ステップ５６０）、地点リストウインドウ６０１やニュース情報６１０の表示を消去し、目的地を、その時点で選択されている文字列を抽出したニュースレコードの関連地点座標に変更し（ステップ５６８）、ルート探索部１７に変更後の目的地までの推奨ルートを再探索させ（ステップ５７２）、処理を終了する。
【００４０】
また、追加ボタン６０４の操作による目的地追加指示が発生したならば（ステップ５６２）、地点リストウインドウ６０１やニュース情報６１０の表示を消去し、その時点で目的地が設定されていない場合には、その時点で選択されている文字列を抽出したニュースレコードの関連地点座標を目的地として設定し（ステップ５７０）、ルート探索部１７に変更後の目的地までの推奨ルートを再探索させ（ステップ５７２）、処理を終了する。また、追加ボタン６０４の操作による目的地追加指示が発生した場合に（ステップ５６２）、その時点で目的地が設定されている場合には、地点リストウインドウ６０１やニュース情報６１０の表示を消去し、その時点で選択されている文字列を抽出したニュースレコードの関連地点座標を経由地として追加し（ステップ５７０）、それまでに設定されている全ての経由地を経由して目的地に至る推奨ルートを、ルート探索部１７に探索させ（ステップ５７２）、処理を終了する。
【００４１】
また、いいえボタン６０５によるキャンセル指示が発生した場合には（ステップ５６４）、地点リストウインドウ６０１やニュース情報６１０の表示を消去し、そのまま処理を終了する。
このようなニュース関連地点選択受付処理によれば、ユーザは、地名から、当該地名に相当する地点に関連するニュース項目の内容を取得することができると共に、ニュース項目の内容に興味を持った地名に相当する地点を即座に目的地に設定したりすることができるようになる。また、ニュース項目に関連する地名のリスト６０１として、ニュース項目の文字列に含まれる当該地名にその前後の文字列を連結した文字列リストを表示するので、ユーザは、このリスト６０１から、各地名に相当する地点に関連するニュース項目の内容が、興味をひくものであるかどうかの一定の判断を行うことができるようになる。
【００４２】
以上、本発明の実施形態について説明した。
なお、本実施形態において説明した、放送受信機２３で受信したニュース情報をユーザへ提示する技術は、ナビゲーション装置以外の、地図を表示する、放送受信機２３を備えた任意のシステムに同様に適用可能である。
【図面の簡単な説明】
【００４３】
【図１】本発明の実施形態に係る車載システムの構成を示すブロック図である。
【図２】本発明の実施形態に係る車載システムが保持する地図データとサービスデータを示す図である。
【図３】本発明の実施形態に係る車載システムの表示例を示す図である。
【図４】本発明の実施形態に係る車載システムが行うニュース収集処理を示すフローチャートである。
【図５】本発明の実施形態に係る車載システムが行うニュース表示処理とニュース関連地点選択受付処理を示すフローチャートである。
【図６】本発明の実施形態に係る車載システムの表示例を示す図である。
【符号の説明】
【００４４】
１…車載システム、２…放送局、１１…操作部、１２…表示装置、１３…車両状態センサ、１４…ＧＰＳ受信機、１５…地図データ記憶部、１６…現在状態算出部、１７…ルート探索部、１８…案内画像生成部、１９…制御部、２０…メモリ、２１…ＧＵＩ制御部、２２…ニュース情報処理部、２３…放送受信機、２４…オーディオソース機器、２５…オーディオアンプ、２６…スピーカ。
【図１】
2006194742.tif 000003
【図２】
2006194742.tif 000004
【図３】
2006194742.tif 000005
【図４】
2006194742.tif 000006
【図５】
2006194742.tif 000007
【図６】
2006194742.tif 000008